(57)【要約】  本開示の実施形態において、ウェブページラベルをグループ化するための方法及び装置が開示される。当該方法は、ブラウザのタブバーにおける複数のウェブページラベルのタイトルを抽出する段階と、抽出された複数のタイトル間の意味的距離を計算する段階と、複数のタイトル間の意味的距離に基づき、複数のタイトルに対応するウェブページラベルをクラスタ化する段階と、クラスタ化する段階に基づき、少なくとも１つのラベルグループを取得する段階であって、前記１つのラベルグループは少なくとも１つのウェブページラベルを有する、取得する段階と、少なくとも１つのラベルグループをタブバーに順次配置する段階とを備え、同じラベルグループに属するウェブページラベルは、タブバーに順次配置される。グループ化後に、ウェブページラベルはタブバーにウェブページラベルのフォーマットでまだ提示され、ウェブページラベルは、一度のクリックで選択され得る。更に、同じラベルグループに属するウェブページラベルは、タブバーに共に連続的に配置され、それにより、タブバーのウェブページラベルが配置及び順序付けられ、ユーザはタブバーを通じてすぐに必要とされるウェブページラベルを見つけることができ、従ってユーザ体験を改善する。
2018538599.tif 000002
【特許請求の範囲】
【請求項１】
ウェブページラベルをグループ化するための方法であって、
ブラウザのタブバーにおける複数のウェブページラベルの複数のタイトルを抽出する段階と、
抽出された前記複数のタイトル間の意味的距離を計算する段階と、
前記複数のタイトル間の前記意味的距離に基づき、前記複数のタイトルに対応するウェブページラベルをクラスタ化する段階と、
前記クラスタ化する段階に基づき、少なくとも１つのラベルグループを取得する段階であって、前記１つのラベルグループは少なくとも１つのウェブページラベルを有する、取得する段階と、
前記少なくとも１つのラベルグループを前記タブバーに順次配置する段階と
を備え、
同じラベルグループに属する前記ウェブページラベルは、前記タブバーに順次配置される、
方法。
【請求項２】
前記複数のタイトル間の前記意味的距離に基づき、前記複数のタイトルに対応するウェブページラベルをクラスタ化する前記段階は、
前記複数のタイトルから少なくとも１つの対象タイトルを選択する段階と、
前記複数のタイトルの非対象タイトルと前記対象タイトルとの間の意味的距離に従って、前記複数のタイトルに対応する前記ウェブページラベルをクラスタ化する段階と
を備え、
前記クラスタ化する段階を通じて取得された前記少なくとも１つのラベルグループの数量は、前記少なくとも１つの対象タイトルの数量と同じであり、
ラベルグループは、前記クラスタ化する段階を通じて対象タイトルに従って取得される、
請求項１に記載の方法。
【請求項３】
前記抽出された複数のタイトル間の意味的距離を計算する前記段階は、
前記複数のタイトルをセグメント化する段階であって、セグメント化された単語セットは、タイトルをセグメント化することにより取得される、セグメント化する段階と、
複数の取得されセグメント化された単語セットにおいて、セグメント化された単語の間で意味的下位距離を計算する段階と、
前記意味的下位距離に従って、前記複数のタイトルの間で前記意味的距離を取得する段階と
を有する、
請求項１に記載の方法。
【請求項４】
前記少なくとも１つのラベルグループを前記タブバーに順次配置する前記段階の後、前記方法は更に、
新たなウェブページラベルが前記タブバーに現れた場合、前記新たなウェブページラベルのタイトルを抽出する段階と、
前記新たなウェブページラベルの前記タイトルと前記少なくとも１つのラベルグループのタイトルとの間の意味的距離がプリセットの閾値を満たすかどうかを決定する段階と、
前記新たなウェブページラベルの前記タイトルとただ１つのラベルグループのタイトルとの間の意味的距離が、前記プリセットの閾値を満たす場合、前記新たなウェブページラベルを前記ラベルグループに追加し、前記ラベルグループの前記新たなウェブページラベル及びウェブページラベルを前記タブバーに連続的に配置する段階と、
前記新たなウェブページラベルの前記タイトルと複数のラベルグループのタイトルとの間の意味的距離がプリセットの閾値を満たす場合、前記新たなウェブページラベルを最小ラベルグループに追加し、前記最小ラベルグループの前記新たなウェブページラベルとウェブページラベルとを前記タブバーに順次配置する段階と
を有し、
前記最小ラベルグループは、前記複数のラベルグループ間のラベルグループであって、このラベルグループの前記タイトルと前記新たなウェブページラベルの前記タイトルとの間で最短の意味的距離を有する、
請求項１から３のいずれか一項に記載の方法。
【請求項５】
選択する前記段階が前記複数のタイトルから少なくとも１つの対象タイトルを選択することにより行われる場合、前記複数のタイトルの非対象タイトルと前記対象タイトルとの間の意味的距離に従って、前記複数のタイトルに対応する前記ウェブページラベルをクラスタ化する段階を有し、
前記新たなウェブページラベルの前記タイトルと前記少なくとも１つのラベルグループの前記タイトルとの間の前記意味的距離は、前記新たなウェブページラベルの前記タイトルと前記少なくとも１つのラベルグループの前記対象タイトルとの間の意味的距離を含む、
請求項４に記載の方法。
【請求項６】
前記タブバーに前記少なくとも１つのラベルグループを順次配置する前記段階の後、前記方法は更に、
前記複数のウェブページラベルが、クリックラベルとして使用されるケースを記録する段階であって、前記ブラウザにより提示されるウェブページに対応するウェブページラベルが前記クリックラベルである、記録する段階と、
第１のウェブページラベルと第２のウェブページラベルとを連続的に切り換える前記クリックラベルとして使用される前記ウェブページラベルの切り換え数が、プリセットの回数を満たす場合、第１のウェブページラベルと第２のウェブページラベルとの間の行動類似度がプリセットの類似度を満たすと決定する段階と、
前記第１のウェブページラベルと前記第２のウェブページラベルとを前記ウェブページラベルを移動することにより前記ダブバーに隣接して配置する段階と
を有する請求項１から３のいずれか一項に記載の方法。
【請求項７】
選択する前記段階が、前記複数のタイトルから少なくとも１つの対象タイトルを選択することにより行われた場合、前記複数のタイトルの非対象タイトルと前記対象タイトルとの間の意味的距離に従って、前記複数のタイトルに対応する前記複数のウェブページラベルをクラスタ化し、
前記第１のウェブページラベル及び前記第２のウェブページラベルを前記ウェブページラベルを移動することにより前記ダブバーに隣接して配置する前記段階は、
前記第１のウェブページラベルと、前記第１のウェブページラベルが位置するラベルグループの中央ラベルとの間の意味的類似度が、前記第２のウェブページラベルと前記第２のウェブページラベルが位置するラベルグループの中央ラベルとの間の意味的類似度より大きい場合、前記タブバーにおいて、前記第２のウェブページラベルを前記第１のウェブページラベルの隣接位置に移動する段階を有し、
前記中央ラベルは、前記ラベルグループの前記対象タイトルに対応するウェブページラベルであり、前記意味的類似度は、前記意味的距離に基づく計算により取得される、
請求項６に記載の方法。
【請求項８】
ウェブページラベルをグループ化するための装置であって、
ブラウザのタブバーにおける複数のウェブページラベルの複数のタイトルを抽出する抽出部と、
抽出された前記複数のタイトル間の意味的距離を計算する計算部と、
前記複数のタイトル間の前記意味的距離に基づき、前記複数のタイトルに対応するウェブページラベルをクラスタ化するクラスタ化部と、
前記クラスタ化に基づき、少なくとも１つのラベルグループを取得するグループ化部であって、前記１つのラベルグループは少なくとも１つのウェブページラベルを有する、グループ化部と、
前記少なくとも１つのラベルグループを前記タブバーに順次配置する配置部と
を備え、
同じラベルグループに属する前記ウェブページラベルは、前記タブバーに順次配置される、
装置。
【請求項９】
前記クラスタ化部は特に、前記複数のタイトルから少なくとも１つの対象タイトルを選択し、
前記複数のタイトルの非対象タイトルと複数の前記対象タイトルとの間の意味的距離に従って、前記複数のタイトルに対応する前記ウェブページラベルをクラスタ化し、
前記クラスタ化を通じて取得された前記少なくとも１つのラベルグループの数量は、前記少なくとも１つの対象タイトルの数量と同じであり、ラベルグループは、前記クラスタ化を通じた対象タイトルに従って取得される、
請求項８に記載の装置。
【請求項１０】
前記計算部は特に、前記複数のタイトルをセグメント化し、セグメント化された単語セットがタイトルをセグメント化することにより取得され、
複数の取得されセグメント化された単語セットのセグメント化された単語の間の意味的下位距離を計算し、
前記意味的下位距離に従って、前記複数のタイトル間の前記意味的距離を取得する、
請求項８に記載の装置。
【請求項１１】
前記抽出部は更に、配置部がトリガされた後、新たなウェブページラベルが前記タブバーに現れた場合、前記新たなウェブページラベルのタイトルを抽出し、
決定部であって、前記新たなウェブページラベルの前記タイトルと、前記少なくとも１つのラベルグループのタイトルとの間の意味的距離がプリセットの閾値を満たすかどうかを決定し、
前記決定部の決定結果が、前記新たなウェブページラベルの前記タイトルとただ１つのラベルグループのタイトルとの間の意味的距離がプリセットの閾値を満たすことである場合、第１の追加部をトリガし、
前記決定部の前記決定結果が、前記新たなウェブページラベルの前記タイトルと複数のラベルグループのタイトルとの間の意味的距離が前記プリセットの閾値を満たすことである場合、第２の追加部をトリガする、
決定部を有し、
前記第１の追加部は、前記新たなウェブページラベルを前記ラベルグループに追加し、前記ラベルグループの前記新たなウェブページラベル及びウェブページラベルを前記タブバーに連続的に配置し、
前記第２の追加部は、前記新たなウェブページラベルを最小ラベルグループに追加し、前記最小ラベルグループの前記新たなウェブページラベル及びウェブページラベルを前記タブバーに連続的に配置し、
前記最小ラベルグループは、前記複数のラベルグループ間のラベルグループであって、このラベルグループの前記タイトルと前記新たなウェブページラベルの前記タイトルとの間で最短の意味的距離を有する、
請求項８から１０のいずれか一項に記載の装置。
【請求項１２】
前記クラスタ化部は特に、前記複数のタイトルから少なくとも１つの対象タイトルを選択する場合、
前記クラスタ化部は、前記複数のタイトルの非対象タイトルと前記対象タイトルとの間の意味的距離に従って、前記複数のタイトルに対応する前記ウェブページラベルをクラスタ化し、
前記決定部は、前記新たなウェブページラベルの前記タイトルと前記少なくとも１つのラベルグループの対象タイトルとの間の意味的距離を決定する、
請求項１１に記載の装置。
【請求項１３】
前記配置部がトリガされた後、前記複数のウェブページラベルが、クリックラベルとして使用されるケースを記録する記録部であって、前記ブラウザにより提示されるウェブページに対応するウェブページラベルが前記クリックラベルである、記録部と、
第１のウェブページラベルと第２のウェブページラベルとを連続的に切り換える前記クリックラベルとして使用される前記ウェブページラベルの切り換え数が、プリセットの回数を満たす場合、第１のウェブページラベルと第２のウェブページラベルとの間の行動類似度がプリセットの類似度を満たすと決定する比較部と、
前記第１のウェブページラベルと前記第２のウェブページラベルとを前記ウェブページラベルを移動することにより前記ダブバーに隣接して配置する移動部と
を更に備える請求項８から１０のいずれか一項に記載の装置。
【請求項１４】
前記クラスタ化部が特に、前記複数のタイトルから少なくとも１つの対象タイトルを選択する場合、前記クラスタ化部が、前記複数のタイトルの非対象タイトルと前記対象タイトルとの間の意味的距離に従って、前記複数のタイトルに対応する前記ウェブページラベルをクラスタ化し、
前記第１のウェブページラベルと前記第１のウェブページラベルが位置するラベルグループの中央ラベルとの間の意味的類似度が、前記第２のウェブページラベルと前記第２のウェブページラベルが位置するラベルグループの中央ラベルとの間の意味的類似度より大きい場合、前記移動部が、タブバーにおいて、前記第２のウェブページラベルを前記第１のウェブページラベルの隣接位置に移動し、
前記中央ラベルは、前記ラベルグループの前記対象タイトルに対応するウェブページラベルであり、前記意味的類似度は、前記意味的距離に基づく計算により取得される、
請求項１３に記載の装置。
【発明の詳細な説明】
【技術分野】
【０００１】
［関連技術の相互参照］
本願は、２０１５年１１月４日に出願され、「ウェブページラベルをグループ化するための方法及び装置」と題した中国特許出願第２０１５１０７４２５６８．５号及び２０１６年１０月２６日に出願され、「ウェブページタブをグループに分割するための方法及びデバイス」と題したＰＣＴ出願第ＰＣＴ／ＣＮ１６／１０３３２６号の優先権を主張し、両方が、参照によってその全体が本明細書に組み込まれる。
【背景技術】
【０００２】
開示される実施形態は、データ処理分野に関し、特に、ウェブブラウザに表示されるウェブページラベルをグループ化するための方法及び装置に関する。
【０００３】
ブラウザは、ウェブページのブラウズするために使用された場合、開かれたウェブページは、ウェブページラベルのフォーマットにおいてブラウザのタブバーに次々に配置されることとなる。より多くのウェブページが開かれた場合、より多くのウェブページラベルがタブバーに配置されることとなる。ウェブページラベルが生成された場合、時系列に従って、ウェブページラベルがタブバーに配置される。新たに開かれたウェブページのウェブページラベルは、現在提示されているウェブページのウェブページラベルの後に配置される。
【０００４】
ユーザが多くのウェブページを開くべくブラウザを使用する場合、ブラウザのタブバーにおけるウェブページラベルは、いかなる特定の方式においても順序付けられない。ユーザが、以前に開かれたウェブページを見つけようとした場合、以前に開かれたウェブページに対応するウェブページラベルを見つけるべく、タブバーの多数のウェブページラベルに目を通すのに一定期間を費やす必要があり、ユーザ体験を害することになる。
【０００５】
従来の解決法は、ウェブページラベルのグループ化を含む。ユーザは、あらかじめ１又は複数のグループを確立し、グループに、例えば、「ワーク」及び「ショッピング」などの名前を付けることによりあるグループを他のグループと区別できる。複数の特定のユニフォーム・リソース・ロケータ（ＵＲＬ）が、１つのグループとして設定される。ウェブページラベルが生成された場合、ウェブページラベルのＵＲＬが抽出され、当該グループのために設定された特定のＵＲＬとマッチングされる。マッチングが成功した場合、ウェブページラベルは、マッチングに成功したグループに自動的に追加される。例えば、グループ「ショッピング」に対して設定された特定のＵＲＬが「ｗｗｗ．ｔａｏｂａｏ．ｃｏｍ」である場合、タブバーのウェブページラベルは、ウェブページラベルのＵＲＬが「ｗｗｗ．ｔａｏｂａｏ．ｃｏｍ」を含むなら、グループ「ショッピング」に追加されることとなる。グループ化後、ブラウザのタブバーは、グループラベルとグループに追加されていない任意のウェブページラベルを有するだけとなるであろう。
【０００６】
従来のウェブページのグループ化の方法は、以下の課題を有する。グループ化後、ユーザが、グループに分類されているウェブページラベルに対応するウェブページを開く必要ある場合、ユーザは先ず、ウェブページラベルがどのグループに配置され得るかを特定する必要がある。次に、ユーザは、グループの確認後にウェブページラベルを選択すべく少なくとも二度クリックする必要がある。第１のクリックは、ウェブページラベルが配置されるグループラベルをクリックする段階と、グループにウェブページラベルを表示する提示インターフェースを取得する段階とを備える。第２のクリックは、提示インターフェース上で必要とされるウェブページラベルをクリックする段階を備える。多重クリックプロセスは、複雑になりすぎてユーザ体験を害することになる。
【発明の概要】
【０００７】
上記の技術的課題を解決すべく、開示される実施形態は、同じラベルグループに属するウェブページラベルが、タブバーに共に連続的に配置されるように、ウェブページラベルをグループ化するための方法及び装置を提供する。その結果、ユーザは、一度のクリックで必要とされるウェブページラベルを選択でき、従ってユーザ体験を改善できる。
【０００８】
以下の技術的解決法が、実施形態において開示される。
【０００９】
ウェブページラベルをグループ化するための方法であって、
ブラウザのタブバーに複数のウェブページラベルのタイトルを抽出する段階と、
抽出された複数のタイトル間の意味的距離を計算する段階と、
複数のタイトル間の意味的距離に基づき、複数のタイトルに対応するウェブページラベルをクラスタ化する段階と、
クラスタ化に基づき、少なくとも１つのラベルグループを取得する段階であって、１つのラベルグループは少なくとも１つのウェブページラベルを有する、取得する段階と、
タブバーに少なくとも１つのラベルグループを順次配置する段階とを備え、
同じラベルグループに属するウェブページラベルは、タブバーに連続的に配置される。
【００１０】
１つの実施形態において、複数のタイトル間の意味的距離に基づき、複数のタイトルに対応するウェブページラベルをクラスタ化する段階は、
複数のタイトルから少なくとも１つの対象タイトルを選択する段階と、
複数のタイトルの非対象タイトルとの対象タイトルとの間の意味的距離に従って、複数のタイトルに対応するウェブページラベルをクラスタ化する段階とを有し、
クラスタ化する段階を通じて取得された少なくとも１つのラベルグループの数量は、少なくとも１つの対象タイトルの数量と同じであり、
ラベルグループは、クラスタ化する段階を通じて対象タイトルに従って取得される。
【００１１】
１つの実施形態において、抽出された複数のタイトル間の意味的距離を計算する段階は、
複数のタイトルをセグメント化する段階であって、セグメント化された単語セットは、タイトルをセグメント化することにより取得される、段階と、
複数の取得されセグメント化された単語セットのセグメント化された単語の間で、意味的下位距離を計算する段階と、
意味的下位距離に従って、複数のタイトル間の意味的距離を取得する段階と
を有する。
【００１２】
１つの実施形態において、少なくとも１つのラベルグループをタブバーに順次配置する段階後、当該方法は更に、
新たなウェブページラベルがタブバーに現れた場合、新たなウェブページラベルのタイトルを抽出する段階と、
新たなウェブページラベルのタイトルと少なくとも１つのラベルグループのタイトルとの間の意味的距離がプリセットの閾値を満たすかどうかを決定する段階と、
新たなウェブページラベルのタイトルとただ１つのラベルグループのタイトルとの間の意味的距離が、プリセットの閾値を満たす場合、新たなウェブページラベルをラベルグループに追加し、ラベルグループの新たなウェブページラベル及びウェブページラベルをタブバーに連続的に配置する段階と、
新たなウェブページラベルのタイトルと複数のラベルグループのタイトルとの間の意味的距離がプリセットの閾値を満たす場合、新たなウェブページラベルを最小ラベルグループに追加し、新たなウェブページラベルと最小ラベルグループのウェブページラベルとをタブバーに連続的に配置する段階と
を有し、
最小ラベルグループは、複数のラベルグループ間のラベルグループであって、このラベルグループのタイトルと新たなウェブページラベルのタイトルとの間で最短の意味的距離を有する。
【００１３】
１つの実施形態において、選択する段階が複数のタイトルから少なくとも１つの対象タイトルを選択することにより行われる場合、複数のタイトルの非対象タイトルと対象タイトルとの間の意味的距離に従って、複数のタイトルに対応するウェブページラベルをクラスタ化する段階を有し、
新たなウェブページラベルのタイトルと少なくとも１つのラベルグループのタイトルとの間の意味的距離は、新たなウェブページラベルのタイトルと少なくとも１つのラベルグループの対象タイトルとの間の意味的距離を含む。
【００１４】
１つの実施形態において、タブバーにおける少なくとも１つのラベルグループを順次配置する段階後、当該方法は更に、
複数のウェブページラベルが、クリックラベルとして使用されるケースを記録する段階であって、ブラウザにより提示されるウェブページに対応するウェブページラベルがクリックラベルである、記録する段階と、
第１のウェブページラベルと第２のウェブページラベルとを連続的に切り換えるクリックラベルとして使用されるウェブページラベルの切り換え数が、プリセットの回数を満たす場合、第１のウェブページラベルと第２のウェブページラベルとの間の行動類似度がプリセットの類似度を満たすと決定する段階と、
第１のウェブページラベルと第２のウェブページラベルとをウェブページラベルを移動することによりダブバーに隣接して配置する段階と
を含む。
【００１５】
１つの実施形態において、選択する段階は、複数のタイトルから少なくとも１つの対象タイトルを選択することにより行われた場合、複数のタイトルの非対象タイトルと対象タイトルとの間の意味的距離に従って、複数のタイトルに対応するウェブページラベルをクラスタ化し、
第１のウェブページラベルと第２のウェブページラベルとをウェブページラベルを移動することによりダブバーに隣接して配置する段階は、
第１のウェブページラベルと第１のウェブページラベルが位置するラベルグループの中央ラベルとの間の意味的類似度が、第２のウェブページラベルと第２のウェブページラベルが位置するラベルグループの中央ラベルとの間の意味的類似度より大きい場合、タブバーにおいて、第２のウェブページラベルを第１のウェブページラベルの隣接位置に移動する段階を有し、
中央ラベルは、ラベルグループの対象タイトルに対応するウェブページラベルであり、
意味的類似度は、意味的距離に基づく計算により取得される。
【００１６】
ウェブページラベルをグループ化するための装置であって、
ブラウザのタブバーにおける複数のウェブページラベルのタイトルを抽出するように構成される抽出部と、
抽出された複数のタイトル間の意味的距離を計算するように構成される計算部と、
複数のタイトル間の意味的距離に基づき、複数のタイトルに対応するウェブページラベルをクラスタ化するように構成されるクラスタ化部と、
クラスタ化に基づき、少なくとも１つのラベルグループを取得するように構成されるグループ化部であって、１つのラベルグループは少なくとも１つのウェブページラベルを有する、グループ化部と、
少なくとも１つのラベルグループをタブバーに順次配置するように構成される配置部とを備え、
同じラベルグループに属するウェブページラベルは、タブバーに連続的に配置される。
【００１７】
１つの実施形態において、クラスタ化部は特に、
複数のタイトルから少なくとも１つの対象タイトルを選択し、
複数のタイトルの非対象タイトルと対象タイトルとの間の意味的距離に従って、複数のタイトルに対応するウェブページラベルをクラスタ化する
ように構成され、
クラスタ化を通じて取得された少なくとも１つのラベルグループの数量は、少なくとも１つの対象タイトルの数量と同じであり、ラベルグループは、クラスタ化を通じた対象タイトルに従って取得される。
【００１８】
１つの実施形態において、計算部は特に、複数のタイトルをセグメント化し、セグメント化された単語セットがタイトルをセグメント化することにより取得され、
複数の取得されセグメント化された単語セットのセグメント化された単語の間で、意味的下位距離を計算し、
意味的下位距離に従って複数のタイトル間の意味的距離を取得する
ように構成される。
【００１９】
１つの実施形態において、当該装置は更に、
抽出部は、配置部がトリガされた後、新たなウェブページラベルがタブバーに現れた場合、新たなウェブページラベルのタイトルを抽出するように更に構成され、
新たなウェブページラベルのタイトルと少なくとも１つのラベルグループのタイトルとの間の意味的距離がプリセットの閾値を満たすかどうかを決定し、
決定部の決定結果が、新たなウェブページラベルのタイトルと、ただ１つのラベルグループのタイトルとの間の意味的距離がプリセットの閾値を満たすことである場合、第１の追加部をトリガし、
決定部の決定結果が、新たなウェブページラベルのタイトルと、複数のラベルグループのタイトルとの間の意味的距離がプリセットの閾値を満たすことである場合、第２の追加部をトリガする
ように構成される決定部を更に備え、
第１の追加部は、新たなウェブページラベルをラベルグループに追加し、新たなウェブページラベルとラベルグループのウェブページラベルをタブバーに連続的に配置するように構成され、
第２の追加部は、新たなウェブページラベルを最小ラベルグループに追加し、新たなウェブページラベルと最小ラベルグループのウェブページラベルをタブバーに連続的に配置するように構成され、
最小ラベルグループは、複数のラベルグループ間のラベルグループであって、このラベルグループのタイトルと新たなウェブページラベルのタイトルとの間で最短の意味的距離を有する。
【００２０】
１つの実施形態において、クラスタ化部は特に、複数のタイトルから少なくとも１つの対象タイトルを選択するように構成される場合、
複数のタイトルの非対象タイトルと対象タイトルとの間の意味的距離に従って、複数のタイトルに対応するウェブページラベルをクラスタ化し、
決定部は特に、新たなウェブページラベルのタイトルと少なくとも１つのラベルグループの対象タイトルとの間の意味的距離を決定するように構成される。
【００２１】
１つの実施形態において、当該装置は更に、
配置部がトリガされた後、複数のウェブページラベルが、クリックラベルとして使用されるケースを記録するように構成される記録部であって、ブラウザにより提示されるウェブページに対応するウェブページラベルがクリックラベルである、記録部と、
第１のウェブページラベルと第２のウェブページラベルとを連続的に切り換えるクリックラベルとして使用されるウェブページラベルの切り換え数が、プリセットの回数を満たす場合、第１のウェブページラベルと第２のウェブページラベルとの間の行動類似度がプリセットの類似度を満たすと決定するように構成される比較部と、
第１のウェブページラベルと第２のウェブページラベルとをウェブページラベルを移動することによりダブバーに隣接して配置するように構成される移動部と
を備える。
【００２２】
１つの実施形態において、クラスタ化部が特に、複数のタイトルから少なくとも１つの対象タイトルを選択するように構成される場合、複数のタイトルの非対象タイトルと対象タイトルとの間の意味的距離に従って、複数のタイトルに対応する複数のウェブページラベルをクラスタ化し、
第１のウェブページラベルと第１のウェブページラベルが位置するラベルグループの中央ラベルとの間の意味的類似度が、第２のウェブページラベルと第２のウェブページラベルが位置するラベルグループの中央ラベルとの間の意味的類似度より大きい場合、移動部は特に、タブバーにおいて、第２のウェブページラベルを第１のウェブページラベルの隣接位置に移動するように構成され、
中央ラベルは、ラベルグループの対象タイトルに対応するウェブページラベルであり、意味的類似度は、意味的距離に基づく計算により取得される。
【００２３】
上記の技術的解決法から分かるように、ブラウザのタブバーにおいて複数のウェブページラベルのタイトルが抽出され、複数の抽出されたタイトル間の意味的距離が計算される。複数のタイトルに対応するウェブページラベルは、複数のタイトル間の意味的距離に基づきクラスタ化され、クラスタ化に基づき取得されたセットが、グループ化後にラベルグループとして使用される。ウェブページラベルのタイトル間の意味的距離に基づくグループ化は、ブラウザ又はシステムにより自動的に実施され得、従って、従来のグループ化方法においてあらかじめグループのためのＵＲＬを手動で設定する煩雑な操作を回避し得、当該方法は更に、グループ化方法の適用可能範囲を拡大する。少なくとも１つのラベルグループは、タブバーに順次配置され、同じラベルグループに属するウェブページラベルは、タブバーに連続的に配置される。そのため、ウェブページラベルは、タブバーにおけるウェブページラベルのフォーマットでユーザにまだ提示されており、ユーザは、必要とされるウェブページラベルを選択すべく、一度だけクリックする必要がある。更に、同じラベルグループに属するウェブページラベルは、タブバーに共に連続的に配置され、それにより、タブバーのウェブページラベルが配置及び順序付けられ、ユーザはタブバーを通じて必要とされるウェブページラベルをすぐに見つけることができ、従ってユーザ体験を改善する。
【図面の簡単な説明】
【００２４】
開示される実施形態又は従来技術の技術的解決法をより明確に説明すべく、実施形態又は従来技術の説明に使用される必要がある図面が、以下に簡潔に導入される。以下に説明される図面は、単に本開示のいくつかの実施形態であり、当業者はまた、創造的な活動をすることなく、これらの図面に従って他の図面を取得できる。
【００２５】
【図１】本開示のいくつかの実施形態によるウェブページラベルをグループ化するための方法を説明するフロー図である。
【００２６】
【図２】本開示のいくつかの実施形態によるブラウザのタブバーのインターフェース図である。
【００２７】
【図３】本開示のいくつかの実施形態によるタイトル間の意味的距離を計算するための方法を説明するフロー図である。
【００２８】
【図４】本開示のいくつかの実施形態によるウェブページラベルのグループ化後のタブバーにおけるウェブページラベルの配置のユーザインターフェース図である。
【００２９】
【図５】本開示のいくつかの実施形態によるウェブページラベルを分類するための方法を説明するフロー図である。
【００３０】
【図６】本開示のいくつかの実施形態によるウェブページラベルの位置を調整するための方法を説明するフロー図である。
【００３１】
【図７】本開示のいくつかの実施形態によるウェブページラベルの移動後のタブバーのウェブページラベルの配置のユーザインターフェース図である。
【００３２】
【図８】本開示のいくつかの実施形態によるウェブページラベルをグループ化するための装置のブロック図である。
【００３３】
【図９】本開示のいくつかの実施形態によるウェブページラベルを分類するための装置のブロック図である。
【００３４】
【図１０】本開示のいくつかの実施形態によるウェブページラベルの位置を調整するための装置のブロック図である。
【発明を実施するための形態】
【００３５】
本開示の実施形態の目的、技術的解決法及び利点をより明確にすべく、本開示の実施形態における技術的解決法が、図面を参照して以下に説明される。説明される実施形態は、本開示の実施形態の全てではなく、実施形態の一部である。開示される実施形態に基づくと、創造的な活動をすることなく当業者により取得される他の実施形態の全てが、本開示の保護範囲に当たるであろう。
【００３６】
ブラウザがウェブページをブラウズするために使用された場合、開かれたウェブページは、ウェブページラベルのフォーマットでブラウザのタブバーに次々に配置されることとなる。ユーザが多くのウェブページを開くべくブラウザを使用する場合、ブラウザのタブバーのウェブページラベルは、特定の方式に従って順序付けられていない。ユーザが、以前に開かれたウェブページを見つけようとした場合、以前に開かれたウェブページに対応するウェブページラベルを見つけるべく、タブバーの多数のウェブページラベルに目を通すのに一定期間を費やす必要があり、ユーザ体験を害することになる。従来の解決手段は、ウェブページラベルのグループ化を含む。ユーザは、いくつかの特定のＵＲＬを設定できる。ウェブページラベルが生成された場合、ウェブページラベルＵＲＬが抽出され、次にグループ化を実行すべくグループのために設定された特定のＵＲＬとマッチングされる。グループ化後、ブラウザのタブバーは、グループに追加されていないグループラベル及びウェブページラベルを含むだけとなるであろう。
【００３７】
上記の従来のウェブページのグループ化の技法は、以下の課題を有する。グループ化後、ユーザがグループに分類されたウェブページラベルに対応するウェブページを開く必要がある場合、ユーザは、ウェブページラベルを選択すべく、少なくとも二度クリックする必要がある。この多重クリックプロセスは、過度に複雑であり、ユーザ体験を害することになる。
【００３８】
また、ＵＲＬを比較する従来のグループ化の技法は、グループ化の精度が低い。例えば、ショッピングインターフェースのない一部のウェブページのＵＲＬも、ｗｗｗ．ｔａｏｂａｏ．ｃｏｍを含み得るが、グループ化のメカニズムにより「ショッピング」グループにまだ誤って分類される。そのため、ユーザがウェブページをその後眺める必要がある場合に、ウェブページのウェブページラベルが間違ったグループに分類されたので、ユーザが長い間の検索後でウェブページを見つけることができないことが起こり得る。この誤ったグループ化は、ユーザがウェブページラベルを見つけるためにかかる時間を長くし、ウェブページラベルをグループ化する最初の意図を失敗させ、悪影響をもたらすことになる。
【００３９】
それ故に、本開示の実施形態は、ウェブページラベルをグループ化するための方法及び装置を提供する。ブラウザのタブバーにおいて複数のウェブページラベルのタイトルが抽出され、複数の抽出されたタイトル間の意味的距離が計算される。複数のタイトルに対応するウェブページラベルは、複数のタイトル間の意味的距離に基づきクラスタ化され、クラスタ化に基づき取得されたセットが、グループ化後にラベルグループとして使用される。ウェブページラベルのタイトル間の意味的距離に基づくグループ化は、ブラウザ又はシステムにより自動的に実施され得、従って、従来のグループ化方法においてあらかじめグループのためのＵＲＬを手動で設定する煩雑な操作を回避し得る。当該方法はまた、グループ化プロセスの適用可能範囲を拡大する。少なくとも１つのラベルグループは、タブバーに順次配置され、同じラベルグループに属するウェブページラベルは、タブバーに連続的に配置される。そのため、ウェブページラベルは、タブバーにおけるウェブページラベルのフォーマットでユーザにまだ提示されており、ユーザは、必要とされるウェブページラベルを選択すべく、一度だけクリックする必要がある。更に、同じラベルグループに属するウェブページラベルは、タブバーに共に連続的に配置され、それによりタブバーのウェブページラベルが配置及び順序付けられる。従って、ユーザは、タブバーを通じてすぐに必要とされるウェブページラベルを見つけることができ、ユーザ体験を改善する。
【００４０】
更に、類似するウェブページラベルは、ウェブページラベルのタイトル間の意味的距離を比較することによってより正確に１つのラベルグループに分類され得る。これにより、ウェブページラベルのグループ化の精度が改善され、ウェブページラベルがグループ化された後に、ユーザがウェブページラベルの検索のためにより長い時間を費やすという状況の数を効果的に低減する。
【００４１】
ウェブページラベルがグループ化された後、新たなウェブページラベルがブラウザのタブバーに現れた場合、新たなウェブページラベルのタイトルが抽出される。新たなウェブページラベルのタイトルと少なくとも１つのラベルグループにおけるウェブページラベルのタイトルとの間の意味的距離が、計算される。次に、少なくとも１つのラベルグループにマッチングラベルグループが存在するかどうかと、新たなウェブページラベルがマッチングラベルグループに追加され得るかどうかとが、意味的距離に従って決定される。マッチングラベルグループが決定された後、新たなウェブページラベルが、マッチングラベルグループに追加される。新たなウェブページラベルと、新たなウェブページラベルが追加されたラベルグループのウェブページラベルとがタブバーに連続的に配置される。そのため、ウェブページラベルがグループ化された後、たとえ新たなウェブページラベルがタブバーに現れた場合であっても、新たなウェブページラベルはまた、類似するウェブページラベルと共に配置され得る。これにより、タブバーのウェブページラベルの順序付けられた配置が確保される。
【００４２】
更に、ウェブページをブラウズするためにブラウザを使用するユーザの癖に関して、ショッピング中に価格を比較すべく２つのウェブベージ間で連続的に切り換えるユーザが、例として使用される。この例のブラウズ化プロセスにおいて、２つのウェブページのウェブページラベルがタブバーに離れて配置された場合、ユーザは切り換えプロセスにおいてカーソルをより長い距離を移動する必要がある。１つの実施形態において、タブバーのウェブページラベルがクリックラベルとして使用されるケースが記録される。クリックラベルとして使用されるウェブページラベルが、２つのウェブページラベル間で連続的に切り換わる状況が生じた場合、タブバーの２つのウェブページラベルの位置は、隣接して配置されるべく調整される。これにより、ユーザが２つのウェブページラベル間で切り換えるプロセスにおいてカーソルの移動距離が低減され、ユーザ体験が改善される。  ［実施形態１］
【００４３】
ウェブページラベルのグループ化を引き起こすための条件が、ブラウザのタブバーにおけるウェブページラベルの数量であり得、又はウェブページラベルのグループ化のために要求すべくアクティブに送信される要求であり得ることに留意すべきである。
【００４４】
ブラウザ，第三者ツール又はオペレーティング・システムは、ウェブページラベルのグループ化操作を実行し得る。これは、開示される実施形態に限定されない。
【００４５】
図１は、本開示のいくつかの実施形態によるウェブページラベルをグループ化するための方法を示すフロー図である。方法は、以下の段階を含む。
【００４６】
Ｓ１０１：ブラウザのタブバーにおいて、複数のウェブページラベルのタイトルを抽出する。
【００４７】
例えば、ウェブページラベルは、対応するタイトルを有する。複数のウェブページラベルから抽出されたタイトルの数量は、複数のウェブページラベルの数量と同じである。複数のウェブページラベルは、２又はそれ以上のウェブページラベルを指し得る。複数のウェブページラベルがタブバーに存在する場合、ウェブページラベルをグループ化する必要が生じる。
【００４８】
ブラウザのタブバーにおけるウェブページラベルの例が図２に示される。図２は、本開示のいくつかの実施形態によるブラウザのタブバーのインターフェース図である。図２のブラウザのタブバーに配置された５つのウェブページラベルが存在する。ウェブページラベル上に表示されたテキスト部分は、ウェブページラベルのタイトルとして理解され得る。例えば、図２のタブバーにおける最も右のウェブページラベルのタイトルは、「タオバオ−タオ！私は好きです。（Ｔａｏｂａｏ−Ｔａｏ！  Ｉ  ｌｉｋｅ  ｉｔ．）」である。
【００４９】
Ｓ１０２：抽出された複数のタイトル間の意味的距離を計算する。
【００５０】
例えば、意味的距離は、意味的類似度を表すパラメータである。２つのタイトル間のより短い意味的距離は、２つのタイトルのより近い又はより類似した意味論的な意味を示す。
【００５１】
任意で、抽出された複数のタイトル間の意味的距離の計算に関して、１つの実施形態は、タイトル間の計算のための方法を提供する。
【００５２】
図３は、本開示のいくつかの実施形態によるタイトル間の意味的距離を計算するための方法を説明するフロー図である。当該方法は、以下の段階を含む。
【００５３】
Ｓ３０１：複数のタイトルをセグメント化する。セグメント化された単語セットは、タイトルをセグメント化することにより取得される。
【００５４】
例えば、セグメント化は、単語でタイトルの内容を分割することである。例えば、タイトル「Ｔａｏｂａｏ−Ｔａｏ！  Ｉ  ｌｉｋｅ  ｉｔ．」をセグメント化することにより取得されたセグメント化された単語セットは、「Ｔａｏｂａｏ」、「Ｔａｏ」、「Ｉ」、「ｌｉｋｅ」及び「ｉｔ．」を含み得る。
【００５５】
任意で、中国語のタイトルは、タイトルを複数の意味のある用語に分解すべく、ＩＫＡＮＡＬＹＺＥＲ，  ＰＡＮＧＵＳＥＧＭＥＮＴ及びＰＡＯＤＩＮＧなどのセグメント化ツールを使用することによりセグメント化され得る。タイトルが英語を含む場合、セグメント化は、「英語」のスペースに従って直接実行され得る。
【００５６】
Ｓ３０２：複数の取得されセグメント化された単語セットにおけるセグメント化された単語間の意味的下位距離を計算する。
【００５７】
例えば、意味的下位距離が計算される前に、セグメント化された単語セットのストップワードが更に、精度及び計算効率を改善すべく除去され得る。ストップワードは、コーパスに繰り返し現れる単語を参照するが、意味的に重みの小さい単語である。例えば、Ｓ３０１において取得されたセグメント化された単語セットにおいて、「Ｉ」は、共通のストップワードであり、意味的下位距離が計算される前に、セグメント化された単語セットから除去され得る。例えば、共通なストップワードは更に、「ｉｎ」、「ｏｆ」などを含む。
【００５８】
意味的距離又は意味的下位距離を計算する方法は、本開示に限定されない。ＷＯＲＤ２ＶＥＣツールなどの既存の意味的距離計算方法が、使用され得る。
【００５９】
以下の例を使用することにより、意味的下位距離を計算する方法が説明される。セグメント化された単語セットＡが、「機械学習」及び「数学」を含み、セグメント化された単語セットＢが、「機械学習」及び「アルゴリズム」を含むと仮定すると、セグメント化された単語セットＡの「機械学習」とセグメント化された単語セットＢの「機械学習」との間の意味的下位距離は、０であり、セグメント化された単語セットＡの「数学」とセグメント化された単語セットＢの「アルゴリズム」との間の意味的下位距離は、０．３４である。
【００６０】
Ｓ３０３：意味的下位距離に従って、複数のタイトル間の意味的距離を取得する。
【００６１】
タイトル間の意味的距離は、様々な方法においてＳ３０２から取得される複数の意味的下位距離に従って、計算され得る。セグメント化された単語の多過ぎる語彙項目に起因して、過度に大きい意味的距離が存在する状況を避けるべく、１つの実施形態は、タイトル間の意味的距離を取得するための任意の方法を提供する。すなわち、意味的下位距離の平均値が計算され、計算により取得された平均値がタイトル間の意味的距離として使用される。例えば、セグメント化された単語セットＡとセグメント化された単語セットＢとの間の意味的距離は、上記に取得された２つの意味的下位距離０及び０．３４の平均値０．１７であり得る。
【００６２】
Ｓ１０３：複数のタイトル間の意味的距離に基づき、複数のタイトルに対応するウェブページラベルをクラスタ化する。
【００６３】
Ｓ１０４：クラスタ化に基づき、少なくとも１つのラベルグループを生成する。１つのラベルグループは、少なくとも１つのウェブページラベルを有する。
【００６４】
例えば、開示される実施形態は、意味的距離に基づき、クラスタ化を実行するためのクラスタ化する方法に限定されない。例えば、任意に、ウェブページラベルは、ｋ−ｍｅｄｏｉｄｓ法を使用することによりクラスタ化され得る。あるいは、任意の方法は、クラスタ化が、凝集型階層的クラスタ化方法を使用することにより実行され得ることである。
【００６５】
クラスタ化は、収束対象を必要とする方法を使用することにより実行された場合、任意で、１つの実施形態は、クラスタ化の間、収束対象は、対象タイトルであり得、対象タイトルに対応するウェブページラベルと見なされ得るクラスタ化の方法を提供する。クラスタ化により取得される必要があるラベルグループの数量は、クラスタ化の間に収束対象として役立つべく選択される必要がある対象タイトルの数量と同じである。対象タイトルは、ユーザにより手動で選択される必要がなく、アルゴリズムの論理を通じて自動的に選択され得る。
【００６６】
１つの実施形態において、複数のタイトル間の意味的距離に基づき、複数のタイトルに対応するウェブページラベルをクラスタ化する段階は、
複数のタイトルから少なくとも１つの対象タイトルを選択する段階と、
複数のタイトルの非対象タイトルと対象タイトルとの間の意味的距離に従って、複数のタイトルに対応するウェブページラベルをクラスタ化する段階と
を備える。１つの実施形態において、クラスタ化を通じて取得される少なくとも１つのラベルグループの数量が、少なくとも１つの対象タイトルの数量と同じであり、ラベルグループは、クラスタ化を通じて対象タイトルに従って取得される。
【００６７】
複数のウェブページラベルから選択される対象タイトルの数量は、プリセットされ得る。例えば、タブバーのウェブページラベルの量がＮに達した場合、ｎ個の対象タイトルが選択される。次に、ｎ個のラベルグループは、クラスタ化後に取得され得る。タブバーのウェブページラベルの数量がＭに達した場合、ｍ個の対象タイトルが選択され、ｍ個のラベルグループがクラスタ化後に取得され得る。対象タイトルに関して、タイトルＡと対象タイトルとの間で意味的距離がクラスタ化の間の固定値未満である場合、タイトルＡに対応するウェブページラベルと対象タイトルに対応するウェブページラベルとが、１つのカテゴリにクラスタ化され得る。クラスタ化に基づき取得される１つのラベルグループは、少なくとも１つのウェブページラベルを含む。ただ１つのウェブページラベルが含まれる場合、ウェブページラベルは、対象タイトルに対応するウェブページラベルである。
【００６８】
ウェブページラベルをグループ化するための従来の方法より改善された点は、Ｓ１０１からＳ１０４の処理に基づき実施されていることが考えられ得ることに留意すべきである。
ウェブページラベルのタイトル間の意味的距離に基づくグループ化は、ブラウザ又はシステムにより自動的に実施され得、すなわち、自動グループ化が実施され得、従って、従来のグループ化方法においてあらかじめグループのためのＵＲＬを手動で設定するという煩雑な操作を回避することができ、当該方法は更に、グループ化方法の適用可能範囲を拡大する。
【００６９】
次に、クラスタ化により取得された少なくとも１つのラベルグループに関して、開示される実施形態は更に、タブバーを提示するための任意の方法を提供し得、そのことは、ラベルグループのウェブページラベルを個別のウェブページラベルとしてタブバーにまだ提示する。それ故に、ユーザは、ラベルグループのウェブページラベルを選択すべく一度だけクリックする必要がある。
【００７０】
Ｓ１０５：タブバーに少なくとも１つのラベルグループを順次配置する。少なくとも１つのラベルグループに属するウェブページラベルは、タブバーに連続的に配置される。
【００７１】
例えば、複数のウェブページラベルがグループされた後、ウェブページラベルは、「グループ」の形式でタブバーに再配置される必要がある。ユーザの観点から、ラベルグループの実際のアウトラインは、１つの実施形態においてタブバーに表示されなくなる。むしろ、ラベルグループに分類されるウェブページラベルは、個別のウェブページラベルとしてまだ順次配置されている。識別子は、境界として役立つラベルグループ間には存在しないであろう。すなわち、ラベルグループの存在は、ウェブページラベルがグループ化された後、タブバーのユーザに実際は見えず、ユーザの操作に面倒を生じさせない。しかしながら、ウェブページラベルの配置は、グループ化の結果に従って順序付けられた配置であり、類似するウェブページラベルは、ユーザがウェブページラベルを検索するための時間を節約すべく共に配置される。
【００７２】
図４は、本開示のいくつかの実施形態によるウェブページラベルのグループ化後のタブバーにおけるウェブページラベルの配置のユーザインターフェース図である。図４のウェブページラベルを囲むボックスは、ラベルグループの存在をグラフィックに明確に特定するために単に使用され、図４のそれらとしてのボックスは、実際の提示プロセスには存在しないであろうことに留意すべきである。図４に示されるように、ウェブページラベルをグループ化することにより、図２の最初の５つのウェブページラベルは、３つのラベルグループ、すなわち、ラベルグループ１、ラベルグループ２及びラベルグループ３にグループ分けされる。見て分かるように、同じラベルグループに分類されるウェブページラベルは、タブバーに共に再配置され、例えば、図４の最も左でウェブページラベル「Ｔモール...」及び「タオバオ...」となる。
【００７３】
ラベルグループを順次配置することにより、複数のラベルグループが存在する場合、１つのラベルグループのウェブページラベルがタブバーに最初に配置され、別のラベルグループのウェブページラベルが次に配置されることなどとして理解され得る。最初に配置されるラベルグループ及び後で配置されるラベルグループは、開示される実施形態において限定されない。しかしながら、タブバーの人目を引く位置にラベルグループのウェブページラベルを配置することが、通常好ましい。例えば、横方向のタブバーにウェブページラベルを配置するための方法は、通常左から右であり、縦方向のタブバーのウェブページラベルを配置するための方法は、通常上から下である。配置順序は、個人の嗜好に従って設定され得る。ラベルグループのウェブページラベルが配置された後、どのラベルグループにも分類されないウェブページラベルが存在する場合、これらのウェブページラベルは、配置順次に従って連続的に配置される。
【００７４】
同じラベルグループに属するウェブページラベルの連続的な配置は、同じラベルグループのウェブページラベルが共に連続的に配置されることとして理解され得る。ラベルグループに分類された、又はどのラベルグループにも分類されないウェブページラベルは、別のラベルグループの２つのウェブページラベル間には配置されないであろう。ラベルグループのウェブページラベル間の配置順序は、開示される実施形態に限定されない。
【００７５】
識別子は、異なるラベルグループにおけるウェブページラベルの隣接位置間の境界として使用される。例えば、図４において、ラベルグループ１及びラベルグループ２に属する、隣接するウェブページラベル「タオバオ...」及び「機械学習の数字」と、同じラベルグループに属する、隣接するウェブページラベル「Ｔｍａｌｌ...」及び「タオバオ...」との間に相違はない。ユーザには見えないが、クループ化の結果に従って順序正しく配置されたウェブページラベルと、類似するウェブページラベルを共に配置することとの上記の技術的効果が、達成される。
【００７６】
この実施形態から分かるように、ブラウザのタブバーにおいて複数のウェブページラベルのタイトルが抽出され、複数の抽出されたタイトル間の意味的距離が計算される。複数のタイトルに対応するウェブページラベルは、複数のタイトル間の意味的距離に基づきクラスタ化され、クラスタ化に基づき取得されたセットが、グループ化後にラベルグループとして使用される。ウェブページラベルのタイトル間の意味的距離に基づくグループ化は、ブラウザ又はシステムにより自動的に実施され得、従って、従来のグループ化方法においてあらかじめグループのためのＵＲＬを手動で設定する煩雑な操作を回避し得、当該方法は更に、グループ化方法の適用可能範囲を拡大する。少なくとも１つのラベルグループが、タブバーに順次配置され、同じラベルグループに属するウェブページラベルが、タブバーに順次配置される。そのため、ウェブページラベルは、タブバーにウェブページラベルのフォーマットでまだユーザに提示されており、ユーザは、必要とされるウェブページラベルを選択すべく一度だけクリックする必要がある。更に、同じラベルグループに属するウェブページラベルは、タブバーに共に連続的に配置され、それにより、タブバーのウェブページラベルが配置及び順序付けられ、ユーザはタブバーを通じて必要とされるウェブページラベルをすぐに見つけることができ、従ってユーザ体験を改善する。  ［実施形態２］
【００７７】
タブバーの複数のウェブページラベルが、グループ化された後、新たなウェブページラベルは、ユーザがブラウザを使用し続けている限り、ブラウザのタブバーに更に続けて現れ得る。新たなウェブページラベルが処理されない場合、新たなウェブページラベルは、タブバーの最後に直接設置され、従って、タブバーの最初に順序付けられた配置状態にある程度までダメージを与えることとなる。グループ化後に新たに現れるウェブページラベルに関して、１つの実施形態は、ウェブページラベルを分類するための方法を提供する。  図１に対応する実施形態に基づいて、少なくとも１つのラベルグループがタブバーに順次配置された後、図５は、本開示のいくつかの実施形態によるウェブページラベルを分類するための方法を説明するフロー図を示す。
【００７８】
Ｓ５０１：新たなウェブページラベルがタブバーに現れた場合、新たなウェブページラベルのタイトルを抽出する。
【００７９】
Ｓ５０２：新たなウェブページラベルのタイトルと少なくとも１つのラベルグループのタイトルとの間の意味的距離が、プリセットの閾値を満たすかどうかを決定する。新たなウェブページラベルのタイトルと、ただ１つのラベルグループのタイトルとの間の意味的距離が、プリセットの閾値を満たす場合、Ｓ５０３が実行される。新たなウェブページラベルのタイトルと、複数のラベルグループのタイトルとの間の意味的距離が、プリセットの閾値を満たす場合、Ｓ５０４が実行される。
【００８０】
例えば、新たなウェブページラベルのタイトルを入手する方法と、ラベルグループの新たなウェブページラベル及びウェブページラベルのタイトル間の意味的距離を計算する方法とは、図１に対応する実施形態の説明を参照することにより取得され得る。詳細は、本明細書において再度繰り返されない。
【００８１】
Ｓ５０２において、ラベルグループに関して、新たなウェブページラベルのタイトルとラベルグループの任意のウェブページラベルのタイトルとの間の意味的距離は、Ｓ５０２の決定基準として役立つべく計算され得る。しかしながら、決定精度を改善すべく、任意に、選択する段階が、複数のタイトルから少なくとも１つの対象タイトルを選択することにより行われる場合、複数のタイトルに対応するウェブページラベルは、複数のタイトルの非対象タイトルと対象タイトルとの間の意味的距離に従ってクラスタ化される。新たなウェブページラベルのタイトルと少なくとも１つのラベルグループのタイトルとの間の意味的距離は、新たなウェブページラベルのタイトルと少なくとも１つのラベルグループの対象タイトルとの間の意味的距離を含む。
【００８２】
Ｓ５０３：新たなウェブページラベルをラベルグループに追加し、ラベルグループの新たなウェブページラベル及びウェブページラベルをタブバーに連続的に配置する。
【００８３】
ラベルグループの新たなウェブページラベルと他のウェブページラベルの配置順序は、開示される実施形態に限定されない。例えば、新たなウェブページラベルは、ラベルグループの他の全てのウェブページラベルの前に設置され得、又はその最後に設置され得、又はその中央の位置に設置され得る。
【００８４】
Ｓ５０４：新たなウェブページラベルを最小ラベルグループに追加し、最小ラベルグループの新たなウェブページラベル及びウェブページラベルをタブバーに連続的に配置する。最小ラベルグループは、複数のラベルグループ間のラベルグループであって、このラベルグループのタイトルと新たなウェブページラベルのタイトルとの間で最短の意味的距離を有する。
【００８５】
例えば、プリセットの閾値を満たす複数のラベルグループが存在する場合、選択された最小ラベルグループは、それ自身のラベルグループのウェブページラベルのタイトルと新たなウェブページラベルのタイトルとの間の最短の意味的距離を有するものと見なされる。最小ラベルグループのウェブページラベルと新たなウェブページラベルとの間の類似度が、最も高い。
【００８６】
上記から分かるように、ウェブページラベルがグループ化された後、新たなウェブページラベルがブラウザのタブバーに現れ、新たなウェブページラベルのタイトルが抽出され、新たなウェブページラベルのタイトルと少なくとも１つのラベルグループにおけるウェブページラベルのタイトルとの間の意味的距離が計算され、少なくとも１つのラベルグループにマッチングラベルグループが存在するかどうかと、新たなウェブページラベルがマッチングラベルグループに追加され得るかどうかとが、意味的距離に従って決定される。新たなウェブページラベルは、マッチングラベルグループが決定された後、マッチングラベルグループに追加され、新たなウェブページラベルと、新たなウェブページラベルが追加されたラベルグループのウェブページラベルがタブバーに連続的に配置される。そのため、ウェブページラベルがグループされた後、たとえ新たなウェブページラベルがタブバーに現れた場合であっても、新たなウェブページラベルはまた、類似するウェブページラベルと共に配置され得、従って、タブバーにおいてウェブページラベルの順序付けられた配置を確保し得る。
【００８７】
更に、ブラウザを使用することにより、ウェブページをブラウズする際に頻繁にウェブページを切り換えるユーザの癖が考慮される。例えば、２つのウェブページ間の連続的な切り換えは、ショッピング中に価格を比較すべく通常必要とされる。２つの連続的に切り換えられるウェブページのウェブページラベルが、タブバーにおいて互いにより遠くに配置された場合、ユーザは、各々の切り換えプロセスにおいてウェブページラベルをクリックすべく、長い距離にわたってカーソルを移動する必要があり、必然的にユーザ体験を害することとなる。
【００８８】
それ故に、図１に対応する実施形態に基づいて、少なくとも１つのラベルグループがタブバーに順次配置された後、図６は、本開示のいくつかの実施形態によるウェブページラベルの位置を調整するための方法を説明するフロー図を示す。当該方法は、以下の段階を含む。
【００８９】
Ｓ６０１：複数のウェブページラベルがクリックラベルとして使用されるケースを記録する。ブラウザにより提示されたウェブページに対応するウェブページラベルが、クリックラベルである。
【００９０】
例えば、タブバーのウェブページラベルがクリックされた後、ウェブページラベルは、提示がクリック状態となる。ウェブページラベルに対応するウェブページは、ブラウザの主なインターフェース上に提示され、残りのウェブページラベルに対応するウェブページは、非提示の状態にある。ユーザは、選択されたウェブページラベルがクリックラベルとして使用されるのを可能にすべく、他のウェブページラベルをクリックできる。
【００９１】
Ｓ６０２：第１のウェブページラベルと第２のウェブページラベルとを連続的に切り換えるクリックラベルとして使用されるウェブページラベルの切り換え数が、プリセットの回数を満たす場合、第１のウェブページラベルと第２のウェブページラベルとの間の行動類似度がプリセットの類似度を満たすことを決定する。
【００９２】
例えば、１つの実施形態において説明される連続的な切り換えは、２つのウェブページラベルを前後に連続的にクリックする操作と理解され得る。言い換えれば、第１のウェブページラベルと第２のウェブページラベルとの間のクリックラベルとしてのウェブページラベルの連続的な切り換えは、ユーザが前後にクリックするにつれて、クリックラベルが第１のウェブページラベルから第２のウェブページラベルに変わり、次に第２のウェブページラベルから第１のウェブページラベルに変わり、次に第１のウェブページラベルから第２のウェブページラベルに変わって戻ることなどと考えられ得る。１つの実施形態において、クリックラベルが、第１のウェブページラベルから第２のウェブページラベルに切り換えられる操作が、１つの切り換えと見なされる。すなわち、切り換えの数は、１つずつインクリメントされる。クリックラベルは、第１のウェブページラベルから第２のウェブページラベルに切り換えられる操作がまた、１つの切り換えと見なされ、すなわち、切り換えの数は、１つずつインクリメントされる。例えば、ユーザは、対応するウェブページラベルがウェブページラベルＡであるウェブページＡをブラウズすべく、ブラウザを使用する。次に、ユーザは、対応するウェブページラベルがウェブページラベルＢであるウェブページＢを眺める。次に、ユーザは、ウェブページＡに戻す。上記の操作は、ウェブページラベルＡとウェブページラベルＢとを連続的に切り換えるクリックラベルとして使用されるウェブページラベルの切り換え数が、２であると記録され得る。ウェブページＡに切り換えた後、ユーザが、対応するウェブページラベルがウェブページラベルＣであるウェブページＣのブラウズを開始した場合、切り換え数の以前の記録が除去され、ウェブページラベルＡとウェブページラベルＢとを連続的に切り換えるクリックラベルとして使用されるウェブページラベルの切り換え数が、記録される。
【００９３】
１つの実施形態は、連続的な切り換えの数に基づき、第１のウェブページラベルと第２のウェブページラベルとの間の行動類似度を都合よく計算するための方法を提供する。特定の計算は、以下の式で理解され得る。
【数１】
2018538599.tif 000003
ここで、ｓｉｍは、第１のウェブページラベルと第２のウェブページラベルとの間の行動類似度を示し、ｘは、第１のウェブページラベルと第２のウェブページラベルとの間で連続的に切り換えるクリックラベルとして使用されるウェブページラベルの切り換え数を示す。
【００９４】
プリセットの切り換え数は、第１のウェブページラベル及び第２のウェブページラベルが位置するラベルグループの状況に従って設定され得る。例えば、第１のウェブページラベルと第２のウェブページラベルとが同じラベルグループに属する場合、プリセットの切り換え数は、比較的小さく設定され得る。第１のウェブページラベルと第２のウェブページラベルとが異なるラベルグループに属する場合、プリセットの切り換え数は、比較的大きく設定され得る。
【００９５】
Ｓ６０３：ウェブページラベルを移動することにより、第１のウェブページラベル及び第２のウェブページラベルをタブバーに隣接して配置する。
【００９６】
ウェブページラベルの位置をタブバーに移動する特定の手段は、開示される実施形態に限定されない。例えば、第１のウェブページラベルは、第２のウェブページラベルの隣接位置に移動される、又は第２のウェブページラベルは、第１のウェブページラベルの隣接位置に移動されることが可能であり、あるいは、第１のウェブページラベル及び第２のウェブページラベルは、第１のウェブページラベル及び第２のウェブページラベルがタブバーの任意の隣接位置に位置するように同時に移動されることが可能である。しかしながら、以下が、タブバーにおけるウェブページラベルの順序付けられた配置を確保すべく実施され得る。選択する段階が、複数のタイトルから少なくとも１つの対象タイトルを選択することにより行われた場合、複数のタイトルに対応するウェブページラベルは、複数のタイトルの非対象タイトルと対象タイトルとの間の意味的距離に従ってクラスタ化される。１つの実施形態は、ウェブページラベルを移動する方法を提供し、ウェブページラベルを移動することにより第１のウェブページラベルと第２のウェブページラベルとをタブバーに隣接して配置する段階は、
第１のウェブページラベルと第１のウェブページラベルが位置するラベルグループの中央ラベルとの間の意味的類似度が、第２のウェブページラベルと第２のウェブページラベルが位置するラベルグループの中央ラベルとの間の意味的類似度より大きい場合、タブバーにおいて、第２のウェブページラベルを第１のウェブページラベルの隣接位置に移動する段階と
を含み、
中央ラベルは、ラベルグループの対象タイトルに対応するウェブページラベルであり、意味的類似度は、意味的距離に基づく計算により取得される。
【００９７】
言い換えれば、第１のウェブページラベルは、第２のウェブページラベルが位置するラベルグループの中央ラベルに対する第２のウェブページラベルよりも、第１のウェブページラベルが位置するラベルグループの中央ラベルに対する第１のウェブページラベルの方が類似度が大きい場合、第２のウェブページラベルは、第１のウェブページラベルの隣接位置に移動される。隣接位置は、例として、横方向のタブバーを使用することにより説明される。ここで、隣接位置は、第１のウェブページラベルの左の隣接位置であり得、又は第１のウェブページラベルの右の隣接位置であり得る。第２のウェブページラベルが移動された後、第２のウェブページラベルは、第１のウェブページラベルが位置するラベルグループのウェブページラベルの間でタブバーに位置し得る。
【００９８】
ここで、図４が、例として使用される。図４に基づいて、ユーザが、２つの異なるラベルグループに属するウェブページラベル「機械学習のアルゴリズム...」及び「データマイニング...」間で連続的な切り換えをし、切り換え数がプリセットの切り換え数を超えると仮定すると、ウェブページラベル「データマイニング...」はウェブページラベル「機械学習のアルゴリズム...」に隣接する位置に移動され得る。移動後のタブバーは、図７に示されるものであり得る。
【００９９】
上記から分かるように、タブバーのウェブページラベルがクリックラベルとして使用される当該ケースが記録され、クリックラベルとして使用されるウェブページラベルが２つのウェブページラベル間で連続的に切り換わる状況が生じた場合、タブバーの２つのウェブページラベルの位置が隣接して配置されるように調整され、従ってユーザによる２つのウェブページラベル間の切り換えプロセスにおけるカーソルの移動距離を低減し、ユーザ体験を改善する。
［実施形態３］
【０１００】
図８は、本開示のいくつかの実施形態によるウェブページラベルをグループ化するための装置のブロック図であり、当該装置は、以下の部（ｕｎｉｔ）を含む。
【０１０１】
抽出部８０１は、ブラウザのタブバーに複数のウェブページラベルのタイトルを抽出するように構成される。
【０１０２】
計算部８０２は、抽出された複数のタイトル間の意味的距離を計算するように構成される。
【０１０３】
任意で、計算部は特に、複数のタイトルをセグメント化し、セグメント化された単語セットは、タイトルをセグメント化することにより取得され、
複数の取得されセグメント化された単語セットのセグメント化された単語の間で、意味的下位距離を計算し、
意味的下位距離に従って、複数のタイトル間の意味的距離を取得する
ように構成される。
【０１０４】
クラスタ化部８０３は、複数のタイトル間の意味的距離に基づき、複数のタイトルに対応するウェブページラベルをクラスタ化するように構成される。
【０１０５】
任意で、クラスタ化部８０３は特に、複数のタイトルから少なくとも１つの対象タイトルを選択し、  複数のタイトルの非対象タイトルと対象タイトルとの間の意味的距離に従って、複数のタイトルに対応するウェブページラベルをクラスタ化するように構成され、クラスタ化を通じて取得された少なくとも１つのラベルグループの数量は、少なくとも１つの対象タイトルの数量と同じであり、ラベルグループは、クラスタ化を通じて対象タイトルに従って取得される。
【０１０６】
グループ化部８０４は、クラスタ化に基づき少なくとも１つのラベルグループを取得するように構成され、１つのラベルグループは、少なくとも１つのウェブページラベルを備える。
【０１０７】
配置部８０５は、タブバーに少なくとも１つのラベルグループを順次配置し、同じラベルグループに属するウェブページラベルは、タブバーに連続的に配置される。
【０１０８】
この実施形態から分かるように、ブラウザのタブバーにおいて複数のウェブページラベルのタイトルが抽出され、複数の抽出されたタイトル間の意味的距離が計算される。複数のタイトルに対応するウェブページラベルは、複数のタイトル間の意味的距離に基づきクラスタ化され、クラスタ化に基づき取得されたセットは、グループ化後にラベルグループとして使用される。ウェブページラベルのタイトル間の意味的距離に基づくグループ化は、ブラウザ又はシステムにより自動的に実施され得、従って、従来のグループ化方法においてあらかじめグループのためのＵＲＬを手動で設定する煩雑な操作を回避し得、当該方法は更に、グループ化方法の適用可能範囲を拡大する。少なくとも１つのラベルグループが、タブバーに順次配置され、同じラベルグループに属するウェブページラベルは、タブバーに連続的に配置される。そのため、ウェブページラベルは、タブバーにウェブページラベルのフォーマットでユーザにまだ提示されており、ユーザは、必要とされるウェブページラベルを選択すべく一度だけクリックする必要がある。更に、同じラベルグループに属するウェブページラベルは、タブバーに共に連続的に配置され、それにより、タブバーのウェブページラベルが配置及び順序付けられ、ユーザはタブバーを通じてすぐに必要とされるウェブページラベルを見つけることができ、従ってユーザ体験を改善できる。  ［実施形態４］
【０１０９】
タブバーの複数のウェブページラベルが、グループ化された後、新たなウェブページラベルは更に、ユーザがブラウザを使用し続けている限りブラウザのタブバーに現れ得る。新たなウェブページラベルが処理されない場合、新たなウェブページラベルは、タブバーの最後に直接設置され、従ってタブバーの最初に順序付けられた配置状態にある程度までダメージを与えることとなる。グループ化後に新たに現れるウェブページラベルに関して、１つの実施形態は、ウェブページラベルを分類するための装置を提供する。図８に対応する実施形態に基づいて、配置部が、少なくとも１つのラベルグループをタブバーに順次配置すべくトリガされた後、図９は、本開示のいくつかの実施形態によるウェブページラベルを分類するための装置のブロック図を示す。
【０１１０】
抽出部９０１は、新たなウェブページラベルがタブバーに現れた場合、新たなウェブページラベルのタイトルを抽出するように構成される。
【０１１１】
決定部９０２は、新たなウェブページラベルのタイトルと少なくとも１つのラベルグループにおけるタイトルとの間の意味的距離がプリセットの閾値を満たすかどうかを決定し、
決定部の決定結果が、新たなウェブページラベルのタイトルとただ１つのラベルグループのタイトルとの間の意味的距離がプリセットの閾値を満たすことである場合、第１の追加部９０３をトリガし、
決定部の決定結果が、新たなウェブページラベルのタイトルと複数のラベルグループのタイトルとの間の意味的距離がプリセットの閾値を満たすことである場合、第２の追加部９０４をトリガする
ように構成される。
【０１１２】
任意で、クラスタ化部８０３は特に、複数のタイトルから少なくとも１つの対象タイトルを選択するように構成される場合、
複数のタイトルの非対象タイトルと対象タイトルとの間の意味的距離に従って、複数のタイトルに対応するウェブページラベルをクラスタ化する。
【０１１３】
決定部９０２は特に、新たなウェブページラベルのタイトルと少なくとも１つのラベルグループの対象タイトルとの間の意味的距離を決定するように構成される。
【０１１４】
第１の追加部９０３は、新たなウェブページラベルをラベルグループに追加し、ラベルグループの新たなウェブページラベル及びウェブページラベルをタブバーに連続的に配置するように構成される。
【０１１５】
第２の追加部９０４は、新たなウェブページラベルを最小ラベルグループに追加し、新たなウェブページラベルと最小ラベルグループのウェブページラベルとをタブバーに連続的に配置するように構成され、
最小ラベルグループは、複数のラベルグループ間のラベルグループであって、このラベルグループのタイトルと新たなウェブページラベルのタイトルとの間で最短の意味的距離を有する。
【０１１６】
上記から分かるように、ウェブページラベルがグループ化された後、新たなウェブページラベルがブラウザのタブバーに現れ、新たなウェブページラベルのタイトルが抽出され、新たなウェブページラベルのタイトルと少なくとも１つのラベルグループにおけるウェブページラベルのタイトルとの間の意味的距離が計算され、少なくとも１つのラベルグループにマッチングラベルグループが存在するかどうかと、新たなウェブページラベルがマッチングラベルグループに追加され得るかどうかとが意味的距離に従って決定される。新たなウェブページラベルは、マッチングラベルグループが決定された後、マッチングラベルグループに追加され、新たなウェブページラベルと、新たなウェブページラベルが追加されたラベルグループのウェブページラベルとがタブバーに連続的に配置される。そのため、ウェブページラベルがグループされた後、たとえ新たなウェブページラベルがタブバーに現れた場合であっても、新たなウェブページラベルはまた、類似するウェブページラベルと共に配置され得、従ってタブバーにおいてウェブページラベルの順序付けられた配置を確保し得る。
【０１１７】
更に、ブラウザを使用することにより、ウェブページをブラウズする際に頻繁にウェブページを切り換えるユーザの癖が考慮される。例えば、２つのウェブページ間の連続的な切り換えは、通常ショッピング中に価格を比較すべく必要とされ、連続的に切り換えられる２つのウェブページのウェブページラベルは、タブバーにおいて互いにより遠くに配置された場合、ユーザは、各々の切り換えプロセスにおいてウェブページラベルをクリックすべく、長い距離にわたってカーソルを移動する必要があり、必然的にユーザ体験を害することとなる。
【０１１８】
それ故に、図８に対応する実施形態に基づいて、少なくとも１つのラベルグループが、タブバーに順次配置された後、図１０は、本開示のいくつかの実施形態によるウェブページラベルの位置を調整するための装置のブロック図を示す。当該装置は、以下の部を含む。
【０１１９】
記録部１００１は、配置部がトリガされた後、複数のウェブページラベルがクリックラベルとして使用されるケースを記録するように構成され、ブラウザにより提示されるウェブページに対応するウェブページラベルが、クリックラベルである。
【０１２０】
比較部１００２は、第１のウェブページラベルと第２のウェブページラベルとを連続的に切り換えるクリックラベルとして使用されるウェブページラベルの切り換え数が、プリセットの回数を満たす場合、第１のウェブページラベルと第２のウェブページラベルとの間の行動類似度がプリセットの類似度を満たすことを決定するように構成される。
【０１２１】
移動部１００３は、ウェブページラベルを移動することにより、第１のウェブページラベル及び第２のウェブページラベルをタブバーに隣接して配置するように構成される。
【０１２２】
任意で、クラスタ化部８０３は特に、複数のタイトルから少なくとも１つの対象タイトルを選択するように構成される場合、
複数のタイトルの非対象タイトルと対象タイトルとの間の意味的距離に従って、複数のタイトルに対応するウェブページラベルをクラスタ化する。
【０１２３】
第１のウェブページラベルと第１のウェブページラベルが位置するラベルグループの中央ラベルとの間の意味的類似度が、第２のウェブページラベルと第２のウェブページラベルが位置するラベルグループの中央ラベルとの間の意味的類似度より大きい場合、移動部１００３は特に、タブバーにおいて、第２のウェブページラベルを第１のウェブページラベルの隣接位置に移動するように構成され、
中央ラベルは、ラベルグループの対象タイトルに対応するウェブページラベルであり、意味的類似度は、意味的距離に基づく計算により取得される。
【０１２４】
上記から分かるように、タブバーのウェブページラベルがクリックラベルとして使用される当該ケースが記録され、クリックラベルとして使用されるウェブページラベルが２つのウェブページラベル間で連続的に切り換わる状況が生じた場合、タブバーの２つのウェブページラベルの位置が隣接して配置されるように調整され、従ってユーザによる２つのウェブページラベル間の切り換えプロセスにおけるカーソルの移動距離を低減し、ユーザ体験を改善する。
【０１２５】
上記の方法の実施形態を実施するための段階の全部又は一部が、関連するハードウェアに指示するプログラムにより完成されることを、当業者は理解し得る。前述のプログラムは、コンピュータ可読の記憶媒体に格納され得、実行された場合、プログラムは上記の方法の実施形態の段階を実行し得る。前述の記憶媒体は、以下の媒体、リードオンリメモリ（ＲＯＭ）、ＲＡＭ、磁気ディスク、光ディスク及びプログラムコードを格納し得る他の媒体のうちの少なくとも１つであり得る。
【０１２６】
本明細書の実施形態は、進歩的な方法で説明されており、実施形態の同じ又は同様な部分に関して、互い参照され得、各々の実施形態は、他の実施形態との相違に集中することに留意すべきである。特に、装置及びシステムの実施形態に関して、それらは、方法の実施形態と基本的に同様であるので、説明が比較的簡単であり、関連部分に関して、方法の実施形態のセクションにおける説明に参照がなされ得る。上記に説明される装置及びシステムは、単なる例示的なものである。別個の部品として説明される部は、物理的に別個であってよいし、別個でなくてもよく、部として示されるコンポーネントは、物理的な部であってよいし、物理的な部でなくてもよく、すなわち、コンポーネントは、１つの場所に設置されてよいし、複数のネットワーク部上へと分配されてもよい。実施形態の解決法の目標は、実際の要件に従って、モジュールの部分又は全てを選択することにより達成され得る。当業者は、創造的な活動なく、それらを理解及び実施できる。
【０１２７】
上記の説明は単に、開示される実施形態の好ましい特定の実施であるが、開示される実施形態の範囲は、これに限定されない。いかなる当業者も開示される実施形態により開示される技術的範囲内で容易に想到し得る変更又は置換は、開示される実施形態の範囲により包含されるべきである。それ故に、開示される実施形態の発明の範囲は、特許請求の範囲に依存すべきである。
【図１】
2018538599.tif 000004
【図２】
2018538599.tif 000005
【図３】
2018538599.tif 000006
【図４】
2018538599.tif 000007
【図５】
2018538599.tif 000008
【図６】
2018538599.tif 000009
【図７】
2018538599.tif 000010
【図８】
2018538599.tif 000011
【図９】
2018538599.tif 000012
【図１０】
2018538599.tif 000013
【国際調査報告】
2018538599.tif 000014
2018538599.tif 000015
2018538599.tif 000016
2018538599.tif 000017